(57)【特許請求の範囲】
【請求項１】
着用者の鼻口部を覆う被覆部と着用者の耳部に掛け回す耳掛部とで形成されているマスク本体部を備え、該マスク本体部の内側の面が重なり合うように略左右対称に折り畳み可能な衛生マスクであって、
前記マスク本体部の左右それぞれ外側に、一端が前記マスク本体部に固定され他端が自由端とされている摘み部が備えられていることを特徴とする衛生マスク。
【請求項２】
前記摘み部が３〜１５ｍｍの長さである請求項１記載の衛生マスク。
【請求項３】
前記摘み部の縁端が前記マスク本体部から離反されてなる請求項１又は２に記載の衛生マスク。
【発明の詳細な説明】
【技術分野】
【０００１】
本発明は、衛生マスクに関する。
【背景技術】
【０００２】
従来、衛生マスクとしては、さまざまな種類のものが知られ、例えば、着用者の鼻口部を覆い耳部に掛け回して装着され、容易に収納され得るように略左右対称に折り畳むことが可能で、折り畳まれたものが使用時に開かれて着用されるものなどが知られている。
【０００３】
この種の衛生マスクは、折り畳まれている状態ではその内面同士が密着しやすく、使用時において容易に開かれにくい。例えば、捲縮した繊維でなる不織布などで形成されている衛生マスクは、重ね合わされた不織布が捲縮した繊維により絡み合いやすいため、折り畳まれて重ね合わされた不織布を引き離して開くことが困難となり得る。また、例えば、重ね合わされた部材が打ち抜かれて製造されることにより略左右対称の形状をしている衛生マスクは、折り畳まれた未使用のものがその縁端および内面で比較的密着しやすいため、使用時に開くことが困難となり得る。この種の衛生マスクは、寒さなどにより指先の感覚が鈍くなっている場合や、指先が乾燥している場合にさらに開きにくくなり得る。
【０００４】
これに対して、着用者の鼻部付近に当接される部位から左右それぞれの方向へ延びるＶ字形の弾性帯片がマスク本体部の内側に取り付けられ、折り畳まれたマスク本体部を取り出すと、折り畳まれていた弾性帯片がその弾性によってＶ字形に広がって、折り畳まれたマスク本体部の一部が開かれて隙間を生じ、その隙間に指先を挿入して大きく広げることができる衛生マスク（特許文献１）が提案されている。
【０００５】
しかしながら、特許文献１のごとくＶ字形の弾性帯片が備えられた衛生マスクは、Ｖ字形の弾性帯片の弾性力によって生じる隙間に指先を入れて開くものであり、特に寒さなどにより感覚が鈍くなった指先などによっては、必ずしも容易に開かれ得るものではないという問題がある。従って、折り畳まれた状態のものが容易に開かれやすい衛生マスクが要望されている。
【０００６】
【特許文献１】特開２００６−３２０６２９号公報
【発明の開示】
【発明が解決しようとする課題】
【０００７】
本発明は、上記の問題点、要望点等に鑑み、折り畳まれたものが容易に開かれ得る衛生マスクを提供することを課題とする。
【課題を解決するための手段】
【０００８】
上記課題を解決すべく、本発明に係る衛生マスクは、着用者の鼻口部を覆う被覆部と着用者の耳部に掛け回す耳掛部とで形成されているマスク本体部を備え、該マスク本体部の内側の面が重なり合うように略左右対称に折り畳み可能な衛生マスクであって、前記マスク本体部の左右それぞれ外側に、一端が前記マスク本体部に固定され他端が自由端とされている摘み部が備えられていることを特徴とするものである。
【０００９】
上記構成からなる衛生マスクによれば、前記マスク本体部の左右それぞれ外側に、一端が前記マスク本体部に固定され他端が自由端とされている摘み部が備えられていることにより、折り畳まれたマスク本体部の左右それぞれ外側にある摘み部を指先でつまんで、折り畳まれたマスク本体部を左右方向へ引っ張り、重なり合っているマスク本体部の内面を引き離すことができる。
【００１１】
また、本発明に係る衛生マスクは、前記摘み部が３〜１５ｍｍの長さであることが好ましい。前記摘み部が３〜１５ｍｍの長さであることにより、前記摘み部を指先でより摘みやすくなり、より引っ張りやすくなるという利点があり、１５ｍｍ以下の長さに延設されてなることにより、外観上の違和感をより与えにくいという利点がある。
【００１２】
また、本発明に係る衛生マスクは、前記摘み部の縁端が前記マスク本体部から離反されてなることが好ましい。前記摘み部の縁端が前記マスク本体部から離反されてなることにより、前記摘み部を指先でより摘みやすくなるという利点がある。
【発明の効果】
【００１３】
本発明に係る衛生マスクによれば、折り畳まれたマスク本体部の左右それぞれ外側にある摘み部を指先でつまんで、折り畳まれたマスク本体部を左右方向へ引っ張り、重なり合っているマスク本体部の内面を引き離すことができる。従って、本発明に係る衛生マスクは、折り畳まれたものが容易に開かれ得るという効果を奏する。
【発明を実施するための最良の形態】
【００１４】
本実施形態の衛生マスク１は、着用者の鼻口部を覆う被覆部２と着用者の耳部に掛け回す耳掛部３とで形成されているマスク本体部４を備え、該マスク本体部４の内側の面が重なり合うように略左右対称に折り畳み可能な衛生マスク１であって、前記マスク本体部４の左右それぞれ外側に、一端が前記マスク本体部４に固定され他端が自由端とされている摘み部５が備えられている。
【００１５】
以下、本発明に係る衛生マスクの一実施形態について、図面を参照しつつ詳しく説明する。
【００１６】
図１（ａ）には、２つに折り畳んだ本実施形態の衛生マスク１を着用者の右側面から見た右側面図を示す。図１（ｂ）には、２つに折り畳んだ本実施形態の衛生マスク１を下方から見た底面図を示す。
また、図２には、略左右対称に折り畳まれた本実施形態の衛生マスク１を開き、折り畳まれたときの折目の一部を裂いて展開させたものを正面から見た展開図を実線で示す。
【００１７】
本実施形態の衛生マスク１は、図１および図２に示すように、着用者の鼻口部を覆う被覆部２と着用者の耳部に掛け回す耳掛部３とで形成されているマスク本体部４と、該マスク本体部４の左右それぞれ外側に、一端が前記マスク本体部４に固定され他端が自由端とされている摘み部５とが備えられている。
【００１８】
また、本実施形態の衛生マスク１は、図２に示すように、マスク本体部４の左右幅を略２等分する中心軸１５（一点鎖線で表示）に対して略左右対称に形成され、前記マスク本体部４の内側の面が重なり合うように前記中心軸１５に対して、略左右対称に折り畳み可能である。なお、前記マスク本体部４は、折り畳まれた状態で扁平状となり得る。
【００１９】
前記マスク本体部４の左右それぞれ外側に、一端が前記マスク本体部４に固定され他端が自由端とされている摘み部５が備えられていることにより、折り畳まれたマスク本体部４の左右それぞれ外側にある摘み部５を指先でつまんで、折り畳まれたマスク本体部４を左右方向へ引っ張り、重なり合っているマスクの本体４内面を引き離すことができる。従って、本実施形態の衛生マスク１は、折り畳まれたものが容易に開かれ得る。
【００２０】
前記マスク本体部４は、図１および図２に示すように、前記被覆部を形成する部材が固着部を介して前記耳掛部を形成する部材の外側に固着されており、前記摘み部は、前記被覆部を形成する部材が前記固着部を超えて着用者の後方側に延設されて形成されていることが好ましい。
より詳しくは、前記摘み部５は、前記被覆部２を形成する部材と前記耳掛部３を形成する部材とが前記被覆部２を形成する部材を外側として重ねられ、かつ前記被覆部２を形成する部材の縁端から所望長さを残して前記被覆部２を形成する部材と前記耳掛部３を形成する部材とが固着されることにより形成されていることが好ましい。
【００２１】
前記マスク本体部４において、前記被覆部を形成する部材が固着部を介して前記耳掛部を形成する部材の外側に固着されており、前記摘み部は、前記被覆部を形成する部材が前記固着部を超えて着用者の後方側に延設されて形成されていることにより、前記被覆部２と同じ部材で前記摘み部５が形成されるため、衛生マスクの製造が簡便になるという利点がある。また、前記摘み部５が前記固着部６から着用者の後方側に延設されて形成されているため、着用時の外観上の違和感が生じにくいという利点がある。
【００２２】
前記固着部６では、前記耳掛部３を形成する部材を内側として前記被覆部２を形成する部材が前記耳掛部３を形成する部材と固着されている。前記固着部６の形状としては、例えば、図１（ａ）に示されるようにマスク本体部４の側面に上下方向に延びる所定幅の帯状や、他に、矩形状、円状、ドット状などが挙げられる。また、前記固着部６では、前記被覆部２を形成する部材の内面と前記耳掛部３を形成する部材の外面とが、前記固着部の範囲全面において固着されていてもよく、前記固着部の範囲において点状に固着された固着点を点在させることにより固着されていてもよい。なお、前記固着部６は、接着剤を用いた接着、又は、超音波溶着や加熱溶着などの溶着等により形成され得る。
【００２３】
前記摘み部５は、３〜１５ｍｍの長さであることが好ましい。前記摘み部５が３ｍｍ以上の長さであることにより、前記摘み部５を指先でより摘みやすくなり、より引っ張りやすくなるという利点がある。また、１５ｍｍ以下の長さであることにより、外観上の違和感をより与えにくくなるという利点がある。
【００２４】
前記摘み部５の形状は、特に限定されるものではなく、前記摘み部５の形状としては、例えば、図１（ａ）に示されるようにマスク本体部４の側面に上下方向に延びる所定幅の帯状、同様に上下方向に延びるフリル状、半円状などが例示される。
【００２５】
前記摘み部５は、図１（ｂ）に示すように、その縁端が前記マスク本体部４から離反されてなることが好ましい。前記摘み部５の縁端が前記マスク本体部４から離反されてなることにより、前記摘み部５を指先でより摘みやすくなるという利点がある。前記摘み部５の様態としては、前記マスク本体部４に固定された固定端から縁端にかけて平面的に前記マスク本体部４から離反されてなる態様、前記マスク本体部４から反り上がってなる態様などが挙げられる。
なお、縁端が前記マスク本体部４から離反されてなる前記摘み部５は、後述する衛生マスクの製造方法に記載された方法により形成され得る。
【００２６】
さらに、前記マスク本体部４を形成している前記被覆部２と前記耳掛部３とについて、図面を参照しながら説明する。
【００２７】
前記被覆部２は、前記マスク本体部４が開かれたときに立体的になるものであることが好ましい。具体的には、折り畳まれた前記マスク本体部４の前記被覆部２は、着用者の鼻頭部を覆い得る部位が前方に突出した形状であることが好ましい。このような形状であることにより、衛生マスク１が立体的になり、マスクの上部および下部において着用者の顔面との隙間がより小さくなり、着用者の顔面に密着しやすいという利点がある。
【００２８】
詳しくは、前記被覆部２は、図２に示すように、着用者の鼻口部の右半分を覆う右被覆部２ａと、左半分を覆う左被覆部２ｂとが略左右対称に備えられ、折り畳まれた前記マスク本体部４の前記右被覆部２ａおよび前記左被覆部２ｂの両方が、着用者の鼻頭部を覆い得る部位において前方に突出した形状であることが好ましい。なお、前記右被覆部２ａと前記左被覆部２ｂとは、マスク本体部４の左右方向中央部において、超音波溶着や加熱溶着などの溶着または接着剤を用いた接着などにより固着されて一体化されている。
このような前記右被覆部２ａと前記左被覆部２ｂとが備えられている前記被覆部２は、２つに折り畳まれた被覆部を形成する部材が所望の形状に切断されることにより容易に製造できるという利点があり、しかも、開かれると立体的になるという利点がある。なお、前記右被覆部２ａと前記左被覆部２ｂとは、２つに折り畳まれた被覆部を形成する部材が切断されることにより略左右対称形となり得るものであり、前記中心軸１５に対して略左右対称にその内面同士が重なり合うことができるものである。
【００２９】
より詳しくは、前記被覆部２は、衛生マスク１を立体的とすべく、折り畳まれた前記被覆部２が、着用者の鼻頭部を覆い得る部位を前方に突出されてなる形状とされ、さらに、前記右被覆部２ａと前記左被覆部２ｂとがマスク本体部４の左右方向中央部において溶着され、該溶着された部位に前記ウエルダー部７が形成されていることが好ましい。具体的には、前記被覆部２には、図１（ａ）に示すように、前記右被覆部２ａの内面と前記左被覆部２ｂの内面とが溶着されてなるウエルダー部７が形成されていることが好ましい。
前記ウエルダー部７においては、前記右被覆部２ａの内面と前記左被覆部２ｂの内面とが溶着されているため、マスク本体部４が開かれたときに前記右被覆部２ａと前記左被覆部２ｂとがより剥離しにくく、しかも、前記被覆部２が立体的になるという利点がある。
【００３０】
前記被覆部２の材質としては、通気性および可撓性を有するものであれば特に限定されるものではないが、着用者が埃や花粉等を吸い込むことを防止できるものが好ましく、呼吸のしやすさ、肌触りの良さ、吸湿性の高さ、皮膚刺激性の低さ等の点で、不織布、ガーゼ等が好ましい。前記不織布、前記ガーゼとしては、レーヨン繊維、アクリル繊維、ナイロン繊維、ポリエチレン繊維やポリプロピレン繊維などのポリオレフィン繊維、ポリエステル繊維等の化学繊維を含んだものが例示され、皮膚刺激性の低さ等の点で、綿、麻等の植物性およびウール等の動物性の天然素材の繊維を含んだものが好ましい。
【００３１】
前記不織布としては、超音波溶着や加熱溶着等により溶着されやすいという点で、熱可塑性繊維が含まれているものが好ましい。また、不織布の繊維ウエブに熱可塑性繊維が１〜１００重量％含まれているものが好ましく、１０〜１００重量％含まれているものがより好ましい。
【００３２】
前記熱可塑性繊維としては、例えば、ポリオレフィン繊維（例えば、ポリエチレン、ポリプロピレン、ポリエチレン／ポリプロピレン複合繊維）、ナイロン繊維、ポリエステル繊維、レーヨン繊維、ポリエチレン／ポリエチレンテレフタレート芯鞘繊維などが例示される。なかでも汎用性、経済性（低コスト性）に優れるという点で、ポリオレフィン繊維又はポリエステル繊維が好ましい。
【００３３】
前記不織布としては、例えば、繊維ウエブをニードルパンチや水流絡合などの手段によって絡合処理した不織布、繊維ウエブの構成繊維を接着させた不織布などが挙げられる。また、これら不織布が積層されたものが前記被覆部２に用いられ得る。
【００３４】
また、前記不織布としては、例えば、帯電加工されたメルトブロー不織布、ウイルス吸着剤で処理された不織布、活性炭や消臭材等で処理された不織布等が挙げられ、これらが組み合わされて積層されたものも前記被覆部２に用いられ得るものとして挙げられる。
【００３５】
前記不織布の目付は、３０〜２００ｇ／ｍ2であることが好ましい。前記不織布の目付が３０ｇ／ｍ2以上であることにより、粉塵がより捕集されやすくなり、マスクの強度がより大きくなるという利点があり、２００ｇ／ｍ2以下であることにより、通気抵抗が抑制され、着用者の息苦しさがより感じられにくくなるという利点がある。
【００３６】
前記耳掛部３は、図２に示すように、着用者の右耳部に掛け回す右耳掛部３ａと、左耳部に掛け回す左耳掛部３ｂとを備えている。前記右耳掛部３ａと前記左耳掛部３ｂとは、略左右対称形であり、前記右耳掛部３ａと前記左耳掛部３ｂとが前記被覆部２の左右それぞれ両側に配されている。付言するならば、前記耳掛部３は、２つに折り畳まれた耳掛部用のシート基材が切断されることにより前記右耳掛部３ａと前記左耳掛部３ｂとが略左右対称形となり得るものである。
【００３７】
前記耳掛部３の材質としては、弾性を有し、伸長または収縮可能なものが挙げられ、好ましくは、不織布、織布、プラスチックフィルム、ゴム紐が挙げられる。
【００３８】
なお、本実施形態の前記摘み部５は、前記固着部６から着用者の後方側に延設されて形成されているが、このような形態に限定されず、例えば、前記摘み部５が前記固着部６から着用者の前方側に延設されてなる実施形態も本発明の範囲に含まれる。
【００３９】
次に、衛生マスクの製造方法の一実施形態について説明する。
【００４０】
本実施形態の衛生マスクの製造方法は、次の工程を実施する。即ち、本実施形態の衛生マスクの製造方法は、摘み部を形成する部材が固定された、マスク本体部となる長尺帯状のシート状基材を形成する基材形成工程と、前記シート状基材を折り畳む折り畳み工程と、折り畳まれた前記シート状基材の一部を溶着させるウエルダー部形成工程と、折り畳まれた前記シート状基材を切断する切断工程とを実施する。なお、上述した実施形態の衛生マスク１は、本実施形態の衛生マスクの製造方法により製造できる。
【００４１】
前記基材形成工程では、摘み部を形成する部材が固定された、マスク本体部となる長尺帯状のシート状基材を形成する。摘み部を形成する部材は、接着剤を用いた接着、又は、超音波溶着や加熱溶着などの溶着等の固着により前記シート状基材に固定させることができる。
【００４２】
前記基材形成工程では、マスク本体部を１種の部材から調製する場合、例えば、マスク本体部となる長尺帯状のシート状基材に、摘み部を形成する所望の大きさの部材を固定させて、摘み部を形成する部材が固定されたシート状基材を形成させることができる。
【００４３】
また、前記基材形成工程では、マスク本体部となる前記シート状基材を２種の部材から調製する場合、被覆部を形成する部材としての長尺帯状の被覆部用シート基材と、耳掛部を形成する部材としての長尺帯状の耳掛部用シート基材とを用いることができ、前記被覆部用シート基材と前記耳掛部用シート基材とを固着させて前記シート状基材とし、前記シート状基材と前記摘み部５となり得る部位とを同時に形成させることができる。
具体的には、例えば図２に示すように、２枚の前記耳掛部用シート基材１２（点線で表示）と、所望幅の前記被覆部用シート基材１１（点線で表示）とを用い、２枚の前記耳掛部用シート基材１２を前記被覆部用シート基材１１の幅より短い距離で離間させた状態で平行に並べ、２枚の前記耳掛部用シート基材１２の上に、前記被覆部用シート基材１１の両側縁で重なり代が所望幅となるように前記被覆部用シート基材１１を重ね、前記被覆部用シート基材１１の縁端から、所望長さ内側の部分を超音波溶着機などを用いて固着させて固着部６とし、前記耳掛部用シート基材１２と前記被覆部用シート基材１１とを固着させることができる。
【００４４】
このようにして、前記被覆部用シート基材１１の両側に、２枚の前記耳掛部用シート基材１２を固着させて、固着部６にて固着された１枚状のシート状基材を調製することができる。このシート状基材では、前記被覆部用シート基材１１の縁端から所望長さ内側の部位で前記被覆部用シート基材１１と前記耳掛部用シート基材１２とが固着されていることにより、前記被覆部用シート基材１１の縁端部が、所望長さに延設されて形成された前記摘み部５となり得る。
【００４５】
前記基材形成工程では、それぞれテーパー面１４を備えた２つの型押部材１３を用いることが好ましい。即ち、２つの前記テーパー面１４が摘み部を形成する部材の縁端側でより近接するように、２つの前記型押部材１３を配置し、前記摘み部を形成する部材の縁端側の方がより圧迫されるように２つの前記型押部材１３で挟み込んで溶着して、前記摘み部を形成する部材が固定されたシート状基材を形成することが好ましい。
【００４６】
より具体的には、前記被覆部用シート基材１１の縁端部で前記摘み部５を形成させるべく衛生マスクを製造する場合、図３に示すように、超音波溶着機を用いて前記被覆部用シート基材１１と前記耳掛部用シート基材１２とを２つのテーパー面１４間で挟み込み、前記被覆部用シート基材１１の縁端側の方がより圧迫されるようにして前記被覆部用シート基材１１と前記耳掛部用シート基材１２とを溶着させることが好ましい。このようにして前記摘み部５となる部位を形成させることにより、製造された衛生マスク１の前記摘み部５の縁端が前記マスク本体部４から離反されてなり、前記摘み部５がより容易に摘みやすくなるという利点がある。この溶着は、より確実に前記摘み部５の縁端が前記マスク本体部４から離反し得るという点で、溶着しやすい熱可塑性繊維を含んだ不織布を用いて、加熱溶着又は超音波溶着により行うことが好ましい。
【００４７】
また、前記基材形成工程においては、前記摘み部５を所望の様態とすべく、適宜所望のテーパー面１４を備えた前記型押部材１３を用いることができる。即ち、より前記マスク本体部４から離反されてなる前記摘み部５を形成すべく、より鋭角に形成されてなる前記型押部材１３のテーパー面１４で圧迫して、前記摘み部を形成する部材を固着させることができ、より前記マスク本体部４に近接してなる前記摘み部５を形成すべく、より鈍角に形成されてなる前記型押部材１３のテーパー面１４で圧迫して、前記摘み部を形成する部材を固着させることもできる。
【００４８】
なお、前記基材形成工程では、例えば、前記被覆部用シート基材１１と前記耳掛部用シート基材１２との固着をより強固にするなどの目的で、前記被覆部用シート基材１１と前記耳掛部用シート基材１２との間に接着用シートなどを挿入して前記固着部６を形成させることができる。また、例えば、折り畳んだ前記被覆部用シート基材１１の折り目を前記摘み部５の縁端とすべく、折り畳んだ前記被覆部用シート基材１１と前記耳掛部用シート基材１２とを固着させることもできる。
【００４９】
前記基材形成工程では、例えば、前記被覆部用シート基材１１と前記耳掛部用シート基材１２とを固着させる前に、前記被覆部用シート基材１１の縁端をトムソン刃等によって、半円の連続形状や三角形等の連続形状などのフリル状に打ち抜いて、前記摘み部５にデザイン性を付与することもできる。
【００５０】
また、前記基材形成工程では、前記シート状基材に固着された、前記摘み部を形成する部材の縁端部を切断して、前記摘み部を所望長さに調整することができる。
【００５１】
前記折り畳み工程では、前記シート状基材を折り畳む。具体的には、図２に示すように前記被覆部用シート基材１１の幅を２等分する上下方向の中心軸１５（一点鎖線で表示）を折目として、得られたシート状基材を２つ折りに折り畳むことができる。
【００５２】
前記ウエルダー部形成工程では、折り畳まれた前記シート状基材の一部を溶着させる。詳しくは、折り畳まれたシート状基材の前記被覆部用シート基材１１の一部を溶着させる。溶着された部分はウエルダー部７となり、該ウエルダー部７では、前記被覆部用シート基材１１の内面同士が溶着されている。なお、前記ウエルダー部形成工程は、必要に応じて適宜実施できる。
【００５３】
前記ウエルダー部７は、例えば、２つ折りされた前記シート状基材の折目において、着用者の鼻頭部を覆い得る部位には形成させず、鼻頭部を覆い得る部位から上下に離れる上部および下部それぞれに形成させる。具体的には、図１に示すように、鼻頭部を覆い得る部位から上方向には、折目から離れるように上ウエルダー部７ａを形成させ、下方向には折目から湾曲して離れるように下ウエルダー部７ｂを形成させることができる。前記ウエルダー部７は、例えば、超音波溶着機を用いて形成できる。
溶着されてなる前記ウエルダー部７を上記のようにして前記被覆部２に形成させることにより、衛生マスク１は、左右に開いて着用すると、前記上ウエルダー部７ａが着用者の鼻に、前記下ウエルダー部７ｂが顎にそれぞれ当接し得ることとなり、前記上ウエルダー部７ａと前記下ウエルダー部７ｂとの間の部分が前方に突出して着用者の鼻頭部を覆う形状となる。従って、衛生マスク１は、立体的となる。
【００５４】
前記切断工程では、折り畳まれたシート状基材を切断する。即ち、２つ折りにされ、必要に応じてウエルダー部７が形成された前記シート状基材を所定形状に切断する。具体的には、例えば図２の実線で示すように、前記被覆部用シート基材１１に関しては、衛生マスク１の被覆部２が所望形状となるように、かつ、被覆部２の外縁が前記ウエルダー部７となるように切断することができる。前記耳掛部用シート基材１２に関しては、衛生マスク１の耳掛部３が着用者の耳部に掛け回すことができる中抜き状となるように切断することができる。
なお、切断する方法としては、例えば、トムソン加工、プレス、ヒートカット等の公知の方法を採用できる。トムソン加工とはトムソン型を用いた抜き打ち加工のことをいい、トムソン型とは、ベースになる板に溝を彫り、溝の部分に刃を入れた型のことを言う。
【００５５】
なお、上記の各工程の順序は、必要に応じて適宜変えることができる。
【００５６】
本発明は、上記例示の衛生マスクに限定されるものではない。また、本発明では、一般の衛生マスクにおいて採用される種々の形態を、本発明の効果を損ねない範囲で採用することができる。
【実施例】
【００５７】
次に実施例を挙げて本発明をさらに詳しく説明するが、本発明はこれらに限定されるものではない。
【００５８】
（実施例１）
被覆部となる被覆部用シート基材として、幅１４０ｍｍのＰＥＴサーマルボンド不織布（シンワ社製：品番「９５４０Ｆ」、繊度：２デニール／３デニール混合、繊維長３０〜５０ｍｍ、目付４０ｇ／ｍ2、厚み０．２４±０．０８ｍｍ）を用い、また、耳掛部となる耳掛部用シート基材として、２枚の伸縮性不織布（出光ユニテック社製  商品名「ストラフレックスＵＮ５０５０」）を用いた。２枚の伸縮性不織布をＰＥＴサーマルボンド不織布の幅より短い距離で離間させた状態で平行に並べ、２枚の前記耳掛部用シート基材の上にＰＥＴサーマルボンド不織布を、その両側縁で重なり代が２０ｍｍとなるように重ね、ＰＥＴサーマルボンド不織布の縁端から１０〜２０ｍｍ内側の部分、即ち縁端から１０〜２０ｍｍ内側の１０ｍｍ幅の部分を、超音波溶着機（本多電子社製  商品名「ハイタッチＳＯＮＡＣ−３５」）を用いて不織布の長尺方向に溶着痕を連続的に形成して固着部とした。このようにして、被覆部用のＰＥＴサーマルボンド不織布の両側に、耳掛部用の伸縮性不織布を２枚固着させて、１枚のシート状基材とした。このシート状基材では、ＰＥＴサーマルボンド不織布の縁端部が、衛生マスクの左右それぞれ外側に備えられることとなる摘み部となり得る。
次に、被覆部用シート基材の幅を２等分する上下方向の線を折目として、得られたシート状基材を２つ折りにした。
続いて、２つ折りに折り畳まれたシート状基材のＰＥＴサーマルボンド不織布の一部につき、内面同士を超音波溶着機によって溶着させてウエルダー部を形成させた。ウエルダー部は、２つ折りされたシート状基材の折目における着用者の鼻頭部を覆い得る部位には形成させず、鼻頭部を覆い得る部位の上部および下部それぞれに形成させた。即ち、図１に示すように、鼻頭部を覆い得る部位から上方向には、折目から離れるように上ウエルダー部を形成し、下方向には折目から湾曲して離れるように下ウエルダー部を形成した。
さらに、２つ折りにされてウエルダー部が形成されたシート状基材を所定形状に切断した。具体的には、ＰＥＴサーマルボンド不織布に関しては、ウエルダー部の外側をトムソン加工によって打ち抜くことにより切断し、伸縮性不織布に関しては、着用者の耳に掛け回すべく中抜きとなるようにトムソン加工によって打ち抜くことにより切断した。
上記のごとく製造した衛生マスクは、左右それぞれ外側にＰＥＴサーマルボンド不織布の縁端部で形成された摘み部があるため、これら２つの摘み部を左右方向に引っ張ることにより、２つに折り畳まれたものが容易に開かれ得る。また、２つ折りされたシート状基材の折目から離れるように上下それぞれのウエルダー部が溶着されて形成されているため、左右に開いて着用すると、上ウエルダー部は着用者の鼻に、下ウエルダー部は顎にそれぞれ当接し、上ウエルダー部と下ウエルダー部との間の部分が前方に突出して着用者の鼻頭部を覆うこととなり、立体化された衛生マスクとなる。
【図面の簡単な説明】
【００５９】
【図１】本発明に係る衛生マスクの一実施形態の右側面図（ａ）および底面図（ｂ）。
【図２】本発明に係る衛生マスクの一実施形態を展開したものを正面から見た展開図。
【図３】一実施形態の衛生マスクの製造方法における、基材形成工程の各段階の状態例を表した模式図。
【符号の説明】
【００６０】
１・・・衛生マスク
２・・・被覆部
３・・・耳掛部
４・・・マスク本体部
５・・・摘み部
６・・・固着部
７・・・ウエルダー部
１１・・・被覆部用シート基材
１２・・・耳掛部用シート基材
１３・・・型押部材
１４・・・テーパー面
１５・・・中心軸
【図１】
0005038938.tif 000002
【図２】
0005038938.tif 000003
【図３】
0005038938.tif 000004